(57)【要約】  【課題】外出先でも手軽に使用できるような携帯性に優れ、さらに細かい部分にも確実に染毛剤を塗布することができる染毛用具を提供する。  【解決手段】板状体からなる把持部２と、前記板状体の一縁辺に沿って植毛したブラシ部３と、前記板状体の板面の一部に板面から隆起した隆起部４と、を備え、前記隆起部の上側縁６は、前記板状体の板面に沿って凹形状をなすとともに、略中央を前記板状体の一縁辺に最近接した形状とした染毛用具１。  【選択図】  図１
0003211066.tif 000002
【実用新案登録請求の範囲】
【請求項１】
板状体からなる把持部と、前記板状体の一縁辺に沿って植毛したブラシ部と、前記板状体の板面の一部に板面から隆起した隆起部と、を備え、前記隆起部の上側縁は、前記板状体の板面に沿って凹形状をなすとともに、略中央が前記板状体の一縁辺に最近接した形状であることを特徴とする染毛用具。
【請求項２】
前記隆起部の上側縁は、略中央が曲率半径１〜５０mmで湾曲し、左右両端が互いに３０〜７５度の角度をなす凹形状であることを特徴とする請求項１記載の染毛用具。
【請求項３】
前記隆起部の上側縁の凹形状は、略中央を中心に左右対称であることを特徴とする請求項１又は２記載の染毛用具。
【請求項４】
前記板状体の板面及び前記隆起部の側面に垂直な切断面において、隆起部の側面の輪郭が曲率半径１〜８０mmの湾曲凹線であることを特徴とする請求項１乃至３のいずれかに記載の染毛用具。
【請求項５】
前記板状体の表裏面に前記隆起部を設けたことを特徴とする請求項１乃至４のいずれかに記載の染毛用具。
【請求項６】
前記ブラシ部の先端は、前記板状体の一縁辺に対して５〜４５度の傾斜角度を備えることを特徴とする請求項１乃至５のいずれかに記載の染毛用具。
【請求項７】
前記板状体は略方形状とし、板状体の厚みが３〜１５mm、板状体の一緑辺が１５〜４０mm、板状体の前記一縁辺の長さとその隣の辺の長さとの比が１：０．３〜１：１であることを特徴とする請求項１乃至６のいずれかに記載の染毛用具。
【請求項８】
前記ブラシ部に植毛するブラシ毛の材質は、ポリブチレンテレフタレート、ポリエチレンテレフタレート、ポリエチレン、ポリプロピレン、ポリアミド、ポリメタクリル酸メチル、馬毛、山羊毛、リス毛、豚毛から選ばれる１種又は２種以上であることを特徴とする請求項１乃至７のいずれかに記載の染毛用具。
【請求項９】
前記板状体の材質は、ポリプロピレン、ポリエチレン、ポリエチレンテレフタレート、ポリブチレンテレフタレート、ポリシクロヘキシレンジメチレン=テレフタレート、ポリエチレンナフタレート、スチレンアクリロニトリルコポリマー、アクリロニトリル-ブタジエン‐スチレン共重合体、ポリスチレン、ポリメチルペンテン、木、から選ばれる１種又は２種以上であることを特徴とする請求項１乃至８のいずれかに記載の染毛用具。
【考案の詳細な説明】
【技術分野】
【０００１】
本考案は、染毛剤を毛髪に塗布するための染毛用具に関する。
【背景技術】
【０００２】
従来、毛染め用ブラシとしては、長く延びたハンドルの先端にブラシの台部を設け、かかる台部の表面にブラシ毛を植毛したり、ブリッスルを突設した形態のものが広く知られている(例えば、特許文献１)。これらの毛染め用ブラシは、染毛剤をブラシ毛あるいはブリッスルに付着させ、頭髪全体を梳かしながら、毛髪の根元から先端に染毛剤をむらなく塗り広げるようにして塗布するが、このような行為は、使用者の自宅において行うことが多い。
【０００３】
しかしながら、外出先で気づいたときに、白髪が目立つ部分にだけ手軽に染毛剤を塗布したいと思う場合がある。また、消費者によっては、白髪を隠すというより、黒髪であっても部分的に有彩色の染毛剤を塗布することにより、毛髪にワンポイントのメーキャップを行うことを楽しみたい場合もある。
【０００４】
また、毛髪の一部に染毛剤を塗布するためのブラシとしては、ハンドルを無くし、あるいは短くした比較的小型のものが知られているが(例えば、特許文献２)、このようなブラシを用いる際には、脇を開き、肘を高く上げるようにしてブラシを持ち上げる必要があるため、ブラシの操作が不安定になりやすく、染毛剤を確実に塗布することが困難であった。
【０００５】
したがって、外出先でも手軽に使用できるような携帯性に優れ、さらに細かい部分にも確実に染毛剤を塗布することができる染毛用具の開発が望まれる。
【先行技術文献】
【特許文献】
【０００６】
【特許文献１】特開平０９−２６６８１４号公報
【特許文献２】特開２０１６−０７３５２０号公報
【考案の概要】
【考案が解決しようとする課題】
【０００７】
本考案は、外出先でも手軽に使用できるような携帯性に優れ、さらに細かい部分にも確実に染毛剤を塗布することができる染毛用具を提供することを課題とする。
【課題を解決するための手段】
【０００８】
前記課題を解決するために本考案者が検討を行った結果、板状体からなる把持部の表面に所定形状の隆起部を設けることにより、染毛用具を指で把持しやすくなり、しかも頭髪に染毛剤を塗布するよう染毛用具を頭部に近づけると、手首の角度を自然な状態に保ちながら、脇を閉め、肘を高く上げることなく、毛髪の生え際に沿うようブラシ部の先端を略垂直にして頭部にあてがうことができることを見出し本考案を完成するに至った。
【０００９】
すなわち本考案は、板状体からなる把持部と、前記板状体の一縁辺に沿って植毛したブラシ部と、前記板状体の板面の一部に板面から隆起した隆起部と、を備え、前記隆起部の上側縁は、前記板状体の板面に沿って凹形状をなすとともに、略中央が前記板状体の一縁辺に最近接した形状であることを特徴とする染毛用具である。
【００１０】
さらに本考案は、前記隆起部の上側縁が、略中央が曲率半径１〜５０mmで湾曲し、左右両端が互いに３０〜７５度の角度をなす凹形状であることを特徴とする染毛用具である。
【００１１】
さらに本考案は、前記隆起部の上側縁の凹形状が、略中央を中心に左右対称であることを特徴とする染毛用具である。
【００１２】
さらに本考案は、前記板状体の板面及び前記隆起部の側面に垂直な切断面において、隆起部の側面の輪郭が曲率半径１〜８０mmの湾曲凹線であることを特徴とする染毛用具である。
【００１３】
さらに本考案は、前記板状体の表裏面に前記隆起部を設けたことを特徴とする染毛用具である。
【００１４】
さらに本考案は、前記ブラシ部の先端が、前記板状体の一縁辺に対して５〜４５度の傾斜角度を備えることを特徴とする染毛用具である。
【００１５】
さらに本考案は、前記板状体は略方形状とし、板状体の厚みが３〜１５mm、板状体の一緑辺が１５〜４０mm、板状体の前記一縁辺の長さとその隣の辺の長さとの比が１：０．３〜１：１であることを特徴とする染毛用具である。
【００１６】
さらに本考案は、前記ブラシ部に植毛するブラシ毛の材質が、ポリブチレンテレフタレート、ポリエチレンテレフタレート、ポリエチレン、ポリプロピレン、ポリアミド、ポリメタクリル酸メチル、馬毛、山羊毛、リス毛、豚毛から選ばれる１種又は２種以上であることを特徴とする染毛用具である。
【００１７】
さらに本考案は、前記板状体の材質が、ポリプロピレン、ポリエチレン、ポリエチレンテレフタレート、ポリブチレンテレフタレート、ポリシクロヘキシレンジメチレン=テレフタレート、ポリエチレンナフタレート、スチレンアクリロニトリルコポリマー、アクリロニトリル-ブタジエン‐スチレン共重合体、ポリスチレン、ポリメチルペンテン、木、から選ばれる１種又は２種以上であることを特徴とする染毛用具である。
【考案の効果】
【００１８】
本考案によれば、外出先でも手軽に使用できるような携帯性に優れ、さらに細かい部分にも確実に染毛剤を塗布することができる染毛用具を提供することが可能となる。
【図面の簡単な説明】
【００１９】
【図１】染毛用具の外観図
【図２】染毛用具の外観図((ａ)正面図、(ｂ)側面図)
【図３】染毛用具の使用状態を示す図
【考案を実施するための形態】
【００２０】
以下、本考案の実施の形態について、図面を参照して詳細に説明する。
【００２１】
本考案の染毛用具は、図１に示すように、板状体からなる把持部(２)と、板状体の一縁辺(５)に沿って植毛したブラシ部(３)と、板状体の板面の一部に板面から隆起した隆起部と、(４)を備える。このような形態とすることにより染毛用具の大きさを最小限に留めることができる。このため染毛用具は、たとえば油性固形状の染毛剤とともにコンパクト容器の中に収容することでき、外出する際には容易に携行することができる。
【００２２】
隆起部(４)の上側縁(６)は、板状体の板面に沿って凹形状をなすとともに、略中央が前記板状体の一縁辺(５)に最近接した形状とする。使用者が染毛用具を使用する際には、把持部となる板状体の表裏面を人差し指と親指で挟み持つが、使用者の人差し指は、隆起部の上側縁に沿うように配置され、人差し指の第一関節は丁度、一縁辺(５)に最近接した凹形状の略中央に密着する。これにより、使用者は確実に染毛用具を把持することができるとともに、意識することなく、手首の回転により、一縁辺(５)が略垂直になるように自らの頭部に近づけることができる。そして、一縁辺に沿って植毛されたブラシ部(３)の先端は、毛髪の分け目にそって毛髪に接触させることができるため、白髪が目立つ分け目付近の毛髪の根元部分に染毛剤を確実に塗布することが可能となる(図３)。
【００２３】
隆起部の形状により、使用者は、特に意識することなく、手首を回転させ、一縁辺を略垂直にした状態でブラシ部を頭部に近づけるが、このような手首の回転により脇を閉め、肘の位置を下げることができる。一縁辺を水平にして頭部に近づけた場合は、脇を30〜120°開いた状態で塗布する必要があるが、一縁辺を略垂直にした状態では、脇を閉じて塗布することが可能となる。これにより、使用者は、肘や腕を高く上げる必要がなくなり、安定した状態でブラシを操作することができるため、染毛剤を容易に塗布することが可能となる。
【００２４】
隆起部の上側縁(６)は、図２に示すように、略中央の曲率半径Ｒが１〜５０mmで湾曲し、左右両端が互いに３０〜７５度の角度θ１をなす凹形状とする。隆起部の上側縁の略中央は、人差し指の第一関節あるいは親指の先端が密着しやすい曲率半径Ｒとし、上側縁の左右の角度θ１ は、使用者が自然に曲げた際の人差し指に密着するような角度としている。曲率半径Ｒや角度θ１が、小さすぎたり、大きすぎたりすると、指が隆起部に密着しにくくなり、化粧操作を安定して行うことが困難となる。
【００２５】
また、隆起部(４)の上側縁(６)の凹形状は、略中央を中心に左右対称とすることが好ましい。このような形状とすることにより、人差し指と親指で挟み持つ染毛用具の角度が定まり、使用者染毛用具を自らの頭部に近づけると、特に意識することなく、手首が自然に回転し、一縁辺(５)が略垂直となるため、毛髪の分け目に沿ってブラシ部の先端をあてがい易くなる。
【００２６】
板状体の板面(８)及び隆起部の側面(７)に垂直な切断面において、隆起部の側面の輪郭は曲率半径ｒを１〜８０mmとする湾曲凹線であることが好ましい(図２)。隆起部の側面の輪郭は、第一関節を曲げた人差し指の側面あるいは親指の先端が密着しやすい曲率半径rとしている。曲率半径ｒが小さすぎたり、大きすぎたりすると板状体を把持した際、安定感が得られにくくなる。
【００２７】
板状体の表裏面に隆起部を設けることにより、右利きの使用者でも左利きの使用者でも同様に染毛用具を使用することができる。また、裏面にも隆起部を設けておけば、凹部の略中央に親指の先端を密着させることができるとともに、凹形状の略中央に配置された人差し指の第一関節の位置と反対側にある把持部の表面を親指が抑えることとなり、染毛用具の略中央部分を親指と人差し指で挟み込むように把持できることから、使用者は染毛用具を確実に手に持ち、化粧操作を容易に行うことが可能となる。
【００２８】
ブラシ部の先端は、前記板状体の一縁辺に対して５〜４５度の傾斜角度θ２を備えることを特徴とする染毛用具である。傾斜角度θ２は、使用者が手首を回転させ、一縁辺を略垂直にした状態でブラシ部を頭部に近づけた際、ブラシ部の先端が頭部の傾斜に沿うような角度としている。
【００２９】
さらに本考案は、ブラシの把持し易さ、および操作のし易さの観点から、前記板状体は略方形状とし、板状体の厚みを３〜１５mm、板状体の一緑辺を１５〜４０mm、板状体の前記一縁辺の長さとその隣の辺の長さとの比を１：０．３〜１：１とすることが好適である。
【００３０】
ブラシ部に植毛するブラシ毛の材質は、染毛剤を毛髪へ塗布する際の適度な弾力性にすぐれ、また染毛剤に配合される成分との相互作用が少ないことから、ポリブチレンテレフタレート、ポリエチレンテレフタレート、ポリエチレン、ポリプロピレン、ポリアミド、ポリメタクリル酸メチル、馬毛、山羊毛、リス毛、豚毛から選ばれる１種又は２種以上とすることが好ましい。
【００３１】
また板状体の材質は、射出成型にすぐれることから、ポリプロピレン、ポリエチレン、ポリエチレンテレフタレート、ポリブチレンテレフタレート、ポリシクロヘキシレンジメチレン=テレフタレート、ポリエチレンナフタレート、スチレンアクリロニトリルコポリマー、アクリロニトリル-ブタジエン‐スチレン共重合体、ポリスチレン、ポリメチルペンテンから選ばれる１種又は２種以上からなる合成樹脂とするか、あるいは、木材又は木材と合成樹脂とを組み合わせて使用することが好ましい。
【符号の説明】
【００３２】
１  染毛用具
２  把持部
３  ブラシ部
４  隆起部
５  一縁辺
６  上側縁
７  側面
８  板面
Ｒ  曲率半径
ｒ  曲率半径
θ１  角度
θ２  角度
【図１】
0003211066.tif 000003
【図２】
0003211066.tif 000004
【図３】
0003211066.tif 000005